(57)【要約】【課題】ＢＤ系、ＨＤ−ＤＶＤ系、ＤＶＤ系、ＣＤ系の各ディスクのうち装着ディスク種類を自動的に判別し、該装着ディスク用の光学系に切り替えて記録再生を行う。【解決手段】ＢＤ系ディスク向きの光学系に設定して、波長４０５ｎｍのレーザ光１Ａを開口０.８５の対物レンズ２Ａから光ディスク３Ａに照射し、そのフォーカス誤差信号がＳカーブならばＢＤ系ディスクと判別し、Ｓカーブでない場合、対物レンズ２Ｂに切り替えて光ディスク３Ｂから０.６ｍｍまでに近接させ、波長４０５ｎｍのレーザ光を開口０.６に絞った対物レンズ２Ｂから照射し、そのフォーカスサーボ誤差信号がＳカーブで、かつ、トラッククロス信号が或る閾値より短い場合はＨＤ−ＤＶＤ系ディスク、トラッククロス信号が該閾値以上に長い場合はＤＶＤ系ディスク、フォーカス誤差信号がＳカーブでない場合はＣＤ系ディスクとそれぞれ判別し、それぞれの光ディスク向きの光学系に設定する。【選択図】図１
2006120210.tif 000002
【特許請求の範囲】
【請求項１】
ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して情報の記録あるいは再生を行なうことができる光ディスクピックアップ制御装置において、１つの光ピックアップ内に、波長が４０５ｎｍ、６５０ｎｍ、７８０ｎｍの各レーザ光をそれぞれ射出する光源と、装着される光ディスクの種類に対応して透過するレーザ光の光束を絞り込むフィルタ部と、ＢＤ系ディスクに対応する第１対物レンズとそれ以外のＨＤ−ＤＶＤ系ディスク、ＤＶＤ系ディスク及びＣＤ系ディスクに対応する第２対物レンズとの２つの対物レンズと、該第１対物レンズと該第２対物レンズとの切替制御を行なうと共に、光ディスクとの間の間隔を変更するように該第１対物レンズ又は該第２対物レンズを移動させる制御を行なうアクチュエータ部とを備え、光ピックアップから出力されるフォーカスサーボ誤差信号とトラッククロス信号とに基づいて、装着されている光ディスクの種類を判別して、判別された光ディスクの記録再生用の光学系を構成するように、前記光源、前記フィルタ部、及び、前記アクチュエータ部により前記第１又は第２対物レンズの状態を、それぞれ設定して、情報の記録あるいは再生を行なうことを特徴とする光ディスクピックアップ制御装置。
【請求項２】
請求項１に記載の光ディスクピックアップ制御装置において、当該光ディスクピックアップ制御装置の標準状態を示すデフォルト状態として、レーザ波長として４０５ｎｍの光源を使用し、前記フィルタ部において光束を太くして開口ＮＡを０.８５とする前記第１対物レンズからのレーザ光を光ディスク表面から内側０.１ｍｍの記録再生層に微小な光スポットとして結ばせるＢＤ系ディスク記録再生用の光学系に設定しておき、光ディスクが当該光ディスクピックアップ制御装置に装着された際に、光ピックアップから出力されるフォーカスサーボ誤差信号をチェックし、Ｓカーブのフォーカスサーボ誤差信号が観測された場合には、装着された光ディスクはＢＤ系ディスクと判別して、光ピックアップの光学系を、前記デフォルト状態のままとしたＢＤ系ディスク記録再生用の光学系を使用して、情報の記録あるいは再生動作を行ない、一方、Ｓカーブのフォーカス誤差信号が観測されなかった場合は、装着された光ディスクはＨＤ−ＤＶＤ系ディスク、ＤＶＤ系ディスク又はＣＤ系ディスクのいずれかと判別することを特徴とする光ディスクピックアップ制御装置。
【請求項３】
請求項２に記載の光ディスクピックアップ制御装置において、前記ＢＤ系ディスク記録再生用の光学系においてＳカーブのフォーカス誤差信号が観測されなかった場合は、レーザ波長として４０５ｎｍの光源を使用したままとして、前記アクチュエータ部により前記第２対物レンズを使用した光学系に変更して、該第２対物レンズを光ディスク表面より外側に０.６ｍｍ近傍の位置まで移動すると共に、前記フィルタ部により前記第２対物レンズの開口ＮＡが０.６になるまでアパーチャを絞った状態にして、光ディスクを予め定めた一定の速度で低速回転させて、光ピックアップから出力されるフォーカスサーボ誤差信号とトラッククロス信号とをチェックし、Ｓカーブのフォーカスサーボ誤差信号が観測され、かつ、トラッククロス信号の周期が予め定めた閾値よりも短いことが観測された場合は、装着された光ディスクはＨＤ−ＤＶＤ系ディスクと判別して、開口ＮＡが０.６の前記第２対物レンズからのレーザ光を光ディスク表面から内側０.６ｍｍの記録再生層に微小な光スポットとして結ばせるＨＤ−ＤＶＤ系ディスク記録再生用の光学系を用いて、フォーカスサーボ誤差信号及びトラッククロス信号による制御をオンにして、情報の記録あるいは再生動作を行ない、一方、トラッククロス信号の周期が前記閾値よりも短いことが観測されなかった場合又はＳカーブのフォーカス誤差信号が観測されなかった場合は、装着された光ディスクはＤＶＤ系ディスク又はＣＤ系ディスクと判別することを特徴とする光ディスクピックアップ制御装置。
【請求項４】
請求項３に記載の光ディスクピックアップ制御装置において、前記ＨＤ−ＤＶＤ系ディスク記録再生用の光学系においてトラッククロス信号の周期が予め定めた前記閾値よりも短いことが観測されなかった場合又はＳカーブのフォーカス誤差信号が観測されなかった場合であって、トラッククロス信号の周期が前記閾値以上に長いことが観測された場合には、装着された光ディスクはＤＶＤ系ディスクと判別して、レーザ波長として４０５ｎｍから６５０ｎｍの光源に切り替え、開口ＮＡが０.６の前記第２対物レンズからのレーザ光を光ディスク表面から内側０.６ｍｍの記録再生層に光スポットとして結ばせるＤＶＤ系ディスク記録再生用の光学系を用いて、フォーカスサーボ誤差信号及びトラッククロス信号による制御をオンにして、情報の記録あるいは再生動作を行ない、また、Ｓカーブのフォーカスサーボ誤差信号が観測されなかった場合には、装着された光ディスクはＣＤ系ディスクと判別して、レーザ波長として４０５ｎｍから７８０ｎｍの光源に切り替えると共に、開口ＮＡを０.４５にまで絞った前記第２対物レンズからのレーザ光を光ディスク表面から内側１.２ｍｍの記録再生層に光スポットとして結ばせるＣＤ系ディスク記録再生用の光学系を用いて、フォーカスサーボ誤差信号及びトラッククロス信号による制御をオンにして、情報の記録あるいは再生動作を行なうことを特徴とする光ディスクピックアップ制御装置。
【請求項５】
請求項１乃至４のいずれかに記載の光ディスクピックアップ制御装置において、前記フィルタ部として、波長４０５ｎｍの前記光源と前記第１対物レンズ又は前記第２対物レンズとの間に配置し、透過するレーザ光の光束を絞り込み、該第１対物レンズ又は該第２対物レンズの開口ＮＡを所望の値に切り替えることができる絞り機構と、波長４０５ｎｍ、６５０ｎｍ、７８０ｎｍの各前記光源と前記第１対物レンズ又は前記第２対物レンズとの間に配置し、波長により透過するレーザ光を選択する波長選択フィルタとを備え、かつ、光ディスクに照射するレーザ光の収差を補正する収差補正機構を備えていることを特徴とする光ディスクピックアップ制御装置。
【請求項６】
請求項５に記載の光ディスクピックアップ制御装置において、前記絞り機構が、前記第１対物レンズ又は前記第２対物レンズの開口ＮＡを、０.６、０.８５のいずれかに切り替えて設定でき、前記波長選択フィルタが、前記第１対物レンズ又は前記第２対物レンズの開口ＮＡを、０.４５、０.６、又は、０.８５のいずれかに切り替えて設定できることを特徴とする光ディスクピックアップ制御装置。
【請求項７】
ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して情報の記録あるいは再生を行なうことができる光ディスクピックアップ制御装置において、１つの光ピックアップ内に、波長が４０５ｎｍ、６５０ｎｍ、７８０ｎｍの各レーザ光をそれぞれ射出する光源と、装着される光ディスクの種類に対応して透過するレーザ光の光束を絞り込むフィルタ部と、ＢＤ系ディスク、ＨＤ−ＤＶＤ系ディスク、ＤＶＤ系ディスク及びＣＤ系ディスクの全ての光ディスクに対応する１つの対物レンズと、光ディスクとの間の間隔を変更するように該対物レンズを移動させる制御を行なうアクチュエータ部とを備え、前記アクチュエータ部が、前記対物レンズからのレーザ光を光ディスクの記録再生層に光スポットとして結ばせるために、光ディスクとの間を最も短い間隔に前記対物レンズの位置を設定する必要があるＨＤ−ＤＶＤ系ディスクを基準にして、前記対物レンズを移動可能とする可動範囲を制限されていることを特徴とする光ディスクピックアップ制御装置。
【請求項８】
請求項７に記載の光ディスクピックアップ制御装置において、前記対物レンズとして、開口ＮＡを０.６とした該対物レンズから入射される波長４０５ｎｍのレーザ光を光ディスク表面から内側０.６ｍｍの位置で微小な光スポットを結ばせる際に、該対物レンズのトップ位置が光ディスク表面から外側に０.７乃至１.３ｍｍの範囲内とすることができる対物レンズを用い、装着された光ディスクがＨＤ−ＤＶＤ系ディスクであった場合は、前記アクチュエータ部が、該ＨＤ−ＤＶＤ系ディスク表面からの前記対物レンズのトップ位置を０.７乃至１.３ｍｍの範囲を移動可能とし、装着された光ディスクがＢＤ系ディスクであった場合は、前記アクチュエータ部が、該ＢＤ系ディスク表面からの前記対物レンズのトップ位置を０.７乃至２.２ｍｍの範囲を移動可能とし、かつ、開口ＮＡを０.８５に拡げた４０５ｎｍのレーザ光を用い、また、装着された光ディスクがＤＶＤ系ディスクであった場合は、前記アクチュエータ部が、該ＤＶＤ系ディスク表面からの前記対物レンズのトップ位置を０.７乃至２.２ｍｍの範囲を移動可能とし、かつ、開口ＮＡを０.６にした６５０ｎｍのレーザ光を用い、また、装着された光ディスクがＣＤ系ディスクであった場合は、前記アクチュエータ部が、該ＣＤ系ディスク表面からの前記対物レンズのトップ位置を０.７乃至２.４ｍｍの範囲を移動可能とし、かつ、開口ＮＡを０.４５に絞った７８０ｎｍのレーザ光を用いることを特徴とする光ディスクピックアップ制御装置。
【請求項９】
ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して、ＢＤ系ディスク用として波長が４０５ｎｍのレーザ光を集光する第１対物レンズと、それ以外のＨＤ−ＤＶＤ系ディスク、ＤＶＤ系ディスク及びＣＤ系ディスクとして波長がそれぞれ４０５ｎｍ、６５０ｎｍ及び７８０ｎｍのレーザ光を集光する第２対物レンズとの２つの対物レンズを用いて情報の記録あるいは再生を行なうことができる光ディスクピックアップ制御方法において、光ディスクからの反射光によって生成されるフォーカスサーボ誤差信号とトラッククロス信号とに基づいて、装着されている光ディスクの種類を判別して、判別された光ディスク記録再生用の光学系を構成するように、光学系部品の状態をそれぞれ設定して、情報の記録あるいは再生を行なうことを特徴とする光ディスクピックアップ制御方法。
【請求項１０】
請求項９に記載の光ディスクピックアップ制御方法において、当該光ディスクピックアップ制御方法における標準状態を示すデフォルト状態として、開口ＮＡを０.８５とする前記第１対物レンズからの波長４０５ｎｍのレーザ光を光ディスク表面から内側０.１ｍｍの記録再生層に微小な光スポットとして結ばせるＢＤ系ディスク記録再生用の光学系に設定しておき、光ディスクが装着された際に出力されるフォーカスサーボ誤差信号をチェックし、Ｓカーブのフォーカスサーボ誤差信号が観測された場合には、装着された光ディスクはＢＤ系ディスクと判別して、光ピックアップの光学系を、前記デフォルト状態のままとしたＢＤ系ディスク記録再生用の光学系を使用して、情報の記録あるいは再生動作を行ない、一方、Ｓカーブのフォーカス誤差信号が観測されなかった場合は、装着された光ディスクはＨＤ−ＤＶＤ系ディスク、ＤＶＤ系ディスク又はＣＤ系ディスクのいずれかと判別することを特徴とする光ディスクピックアップ制御方法。
【請求項１１】
請求項１０に記載の光ディスクピックアップ制御方法において、前記ＢＤ系ディスク記録再生用の光学系においてＳカーブのフォーカス誤差信号が観測されなかった場合は、レーザ波長として４０５ｎｍのままとして、前記第２対物レンズを使用した光学系に変更して、該第２対物レンズを光ディスク表面より外側に０.６ｍｍ近傍の位置まで移動すると共に、該第２対物レンズの開口ＮＡが０.６になるまでアパーチャを絞った状態にして、光ディスクを予め定めた一定の速度で低速回転させて、出力されるフォーカスサーボ誤差信号とトラッククロス信号とをチェックし、Ｓカーブのフォーカスサーボ誤差信号が観測され、かつ、トラッククロス信号の周期が予め定めた閾値よりも短いことが観測された場合は、装着された光ディスクはＨＤ−ＤＶＤ系ディスクと判別して、開口ＮＡが０.６の前記第２対物レンズからのレーザ光を光ディスク表面から内側０.６ｍｍの記録再生層に微小な光スポットとして結ばせるＨＤ−ＤＶＤ系ディスク記録再生用の光学系を用いて、フォーカスサーボ誤差信号及びトラッククロス信号による制御をオンにして、情報の記録あるいは再生動作を行ない、一方、トラッククロス信号の周期が前記閾値よりも短いことが観測されなかった場合又はＳカーブのフォーカス誤差信号が観測されなかった場合は、装着された光ディスクはＤＶＤ系ディスク又はＣＤ系ディスクと判別することを特徴とする光ディスクピックアップ制御方法。
【請求項１２】
請求項１１に記載の光ディスクピックアップ制御方法において、前記ＨＤ−ＤＶＤ系ディスク記録再生用の光学系においてトラッククロス信号の周期が予め定めた前記閾値よりも短いことが観測されなかった場合又はＳカーブのフォーカス誤差信号が観測されなかった場合であって、トラッククロス信号の周期が前記閾値以上に長いことが観測された場合には、装着された光ディスクはＤＶＤ系ディスクと判別して、レーザ波長として４０５ｎｍから６５０ｎｍに切り替え、開口ＮＡが０.６の前記第２対物レンズからのレーザ光を光ディスク表面から内側０.６ｍｍの記録再生層に光スポットとして結ばせるＤＶＤ系ディスク記録再生用の光学系を用いて、フォーカスサーボ誤差信号及びトラッククロス信号による制御をオンにして、情報の記録あるいは再生動作を行ない、また、Ｓカーブのフォーカスサーボ誤差信号が観測されなかった場合には、装着された光ディスクはＣＤ系ディスクと判別して、レーザ波長として４０５ｎｍから７８０ｎｍに切り替えると共に、開口ＮＡを０.４５にまで絞った前記第２対物レンズからのレーザ光を光ディスク表面から内側１.２ｍｍの記録再生層に光スポットとして結ばせるＣＤ系ディスク記録再生用の光学系を用いて、フォーカスサーボ誤差信号及びトラッククロス信号による制御をオンにして、情報の記録あるいは再生動作を行なうことを特徴とする光ディスクピックアップ制御方法。
【請求項１３】
ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して、ＢＤ系ディスク、ＨＤ−ＤＶＤ系ディスク、ＤＶＤ系ディスク及びＣＤ系ディスクとして波長がそれぞれ４０５ｎｍ、４０５ｎｍ、６５０ｎｍ及び７８０ｎｍのレーザ光を集光する１つの対物レンズを用いて情報の記録あるいは再生を行なうことができる光ディスクピックアップ制御方法において、前記対物レンズからのレーザ光を光ディスクの記録再生層に光スポットとして結ばせるために、光ディスクとの間を最も短い間隔に前記対物レンズの位置を設定する必要があるＨＤ−ＤＶＤ系ディスクを基準にして、前記対物レンズを移動可能とする可動範囲を制限することを特徴とする光ディスクピックアップ制御方法。
【請求項１４】
請求項１３に記載の光ディスクピックアップ制御方法において、前記対物レンズとして、開口ＮＡを０.６とした該対物レンズから入射される波長４０５ｎｍのレーザ光を光ディスク表面から内側０.６ｍｍの位置で微小な光スポットを結ばせる際に、該対物レンズのトップ位置が光ディスク表面から外側に０.７乃至１.３ｍｍの範囲内とすることができる対物レンズを用い、装着された光ディスクがＨＤ−ＤＶＤ系ディスクであった場合は、該ＨＤ−ＤＶＤ系ディスク表面からの前記対物レンズのトップ位置を０.７乃至１.３ｍｍの範囲を移動可能とし、装着された光ディスクがＢＤ系ディスクであった場合は、該ＢＤ系ディスク表面からの前記対物レンズのトップ位置を０.７乃至２.２ｍｍの範囲を移動可能とし、かつ、開口ＮＡを０.８５に拡げた４０５ｎｍのレーザ光を用い、また、装着された光ディスクがＤＶＤ系ディスクであった場合は、該ＤＶＤ系ディスク表面からの前記対物レンズのトップ位置を０.７乃至２.２ｍｍの範囲を移動可能とし、かつ、開口ＮＡを０.６にした６５０ｎｍのレーザ光を用い、また、装着された光ディスクがＣＤ系ディスクであった場合は、該ＣＤ系ディスク表面からの前記対物レンズのトップ位置を０.７乃至２.４ｍｍの範囲を移動可能とし、かつ、開口ＮＡを０.４５に絞った７８０ｎｍのレーザ光を用いることを特徴とする光ディスクピックアップ制御方法。
【発明の詳細な説明】
【技術分野】
【０００１】
本発明は、光ディスクピックアップ制御装置及び光ディスクピックアップ制御方法に関し、特に、１台で、ＣＤ系ディスク、ＤＶＤ系ディスク、ＢＤ（Ｂｌｕ−ｒａｙ  Ｄｉｓｃ：ブルーレイディスク）系ディスク、ＨＤ−ＤＶＤ（Ｈｉｇｈ−Ｄｅｎｓｉｔｙ  ＤＶＤ：高密度ＤＶＤ）系ディスクなど複数種類の光ディスクの記録あるいは再生を行なうための光ディスクピックアップ制御装置及びその制御方法に関するものである。
【背景技術】
【０００２】
従来、光ディスクドライブ装置即ち光ディスクピックアップ制御装置においては、光ディスクを回転制御するスピンドルモータ、集光された光の焦点を光ディスクの記録再生層上に結ばせ、かつ、任意のトラック（アドレス）へ移動可能とする光ピックアップよりなっている。また、光ピックアップは、対物レンズを上下左右に動かし、光スポットを、常に、光ディスク上の所望の位置に移動制御するアクチュエータ部を備えている。また、光スポットを作り出す光学系ユニットとアクチュエータ部とは一つのハウジングに収納され、光ピックアップと呼ばれている。図３に、従来の光ディスクドライブ制御装置の概要構成を示している。
【０００３】
図３に示すように、従来の光ディスクドライブ制御装置においては、光ディスク３３をスピンドルモータ３２により回転制御し、光ピックアップ水平駆動モータ３６の制御により、水平方向に移動するガイドレール３５を介して、光ピックアップ３１を光ディスク３３上の任意のトラック（アドレス）位置へ水平移動させ、該光ピックアップ３１のハウジングに収納されているアクチュエータ部３４により光スポットを作り出す光学系ユニットを垂直方向に上下させて、光ビーム３７の焦点を光ディスク３３の記録再生層上に結ばせるようにしている。
【０００４】
近年、光ディスクの記録密度は急速に上がっている。そのためには、記録再生層に結ばせる光スポットを極めて微小にする必要がある。光スポットのサイズは、（λ／ＮＡ）とｓｉｎ（θ）とに比例する。ここで、λはレーザ光の波長であり、ＮＡは対物レンズの開口（Ｎｕｍｅｒｉｃａｌ  Ａｐｅｒｔｕｒｅ）であり、θは対物レンズの有効径と焦点のなす角度である。一般に、光ディスクの高密度記録を可能とすべく光スポットを小さくするためには、レーザ光の波長λが限界まで短い波長になれば、開口ＮＡを大きくするしかない。
【０００５】
最近、光ディスクに用いるレーザ光としては、高密度記録を実現するために、レーザ波長が４０５ｎｍ、開口ＮＡが０.８５のＢＤ（Ｂｌｕ−ｒａｙ  Ｄｉｓｃ：ブルーレイディスク）方式が登場してきている。このＢＤ系ディスクの記録再生層は、光ディスク表面より内側約０.１ｍｍのところに形成されている。この場合、光ディスクと対物レンズトップとの間の距離（これをワーキングディスタンスＷＤ（Ｗｏｒｋｉｎｇ  Ｄｉｓｔａｎｃｅ）という）が、コンマ数ミリ（０.ｘ  ｍｍ  ｘ：整数）から１ｍｍと極めて近接している。
更に、高密度記録用光ディスクの別の方式として登場しているＨＤ−ＤＶＤ−ＲＯＭ等のＨＤ−ＤＶＤ（ＨｉｇｈＤｅｎｓｉｔｙ  ＤＶＤ：高密度ＤＶＤ）規格の光ディスクでは、レーザ波長は、前述のＢＤ方式と同様の４０５ｎｍであるが、開口ＮＡが約０.６、ＨＤ−ＤＶＤ系ディスクの記録再生層は、従来のＤＶＤ系ディスクの場合と同様に、光ディスク表面より内側０.６ｍｍのところにある。
【０００６】
一方、従来のＤＶＤ系ディスクは、レーザ光の波長が６５０ｎｍ、開口ＮＡが０.６、ＤＶＤ系ディスクの記録再生層が、光ディスク表面より内側０.６ｍｍのところにある。また、従来のＣＤ系ディスクでは、レーザ光の波長が７８０ｎｍ、開口ＮＡが０.４〜０.５、ＣＤ系ディスクの記録再生層が、光ディスク表面より内側１.２ｍｍのところにある。
【０００７】
従来の光ディスクドライブ制御装置においては、ＤＶＤ系ディスク及びＣＤ系ディスクのいずれにも対応した情報の記録あるいは再生を、通称、波長選択フィルタなどを用いた２波長ピックアップと称する１つのピックアップで行なうことが可能であり、かつ、対物レンズのトップと光ディスクとの間隔も１ｍｍ前後の適当なワーキングディスタンスＷＤに調整可能として、両方のディスクを駆動可能なＤＶＤ／ＣＤドライブ装置として構成することができる。
【０００８】
しかしながら、近年のように、短波長の青紫色レーザ対応のＢＤ系ディスクや同じ波長を使用するＨＤ−ＤＶＤ対応の光ディスクが市場に登場してくると、従来のＤＶＤ系ディスク及びＣＤ系ディスクに、更にＢＤ系ディスクやＨＤ−ＤＶＤ系ディスクの記録や再生を加えて、４種類の光ディスクを、１つのピックアップによって記録あるいは再生を行なうには非常に難しい課題がある。例えば、ＢＤ用ピックアップとしては、開口ＮＡを０.８５として急激に光ビームを絞り込み、光ディスク表面より内側僅か０.１ｍｍの記録再生層に焦点を結ばせることが必要であり、かつ、光スポットサイズを小さくするために、ワーキングディスタンスＷＤを非常に小さな値とする必要がある。
【０００９】
ＢＤ用ピックアップとしてワーキングディスタンスＷＤを小さい値とした状態で、ＢＤ系ディスクとは異なる方式のＨＤ−ＤＶＤ系ディスクを光ディスクドライブ制御装置に装着して、該ＨＤ−ＤＶＤ系ディスクに記録再生を行なうために、光ディスク表面から内側０.６ｍｍの記録再生層に焦点を合わせるべく、対物レンズを光ディスク側に更に近づけると、対物レンズが光ディスクに当接してしまい、ひどい場合は、対物レンズ、アクチェエータ部や光ディスクなどが破損してしまうことになる。
【００１０】
逆に、ＨＤ−ＤＶＤ用ピックアップとして設定した場合は、対物レンズの開口ＮＡが０.６であり、ＨＤ−ＤＶＤ系ディスクの記録再生層は、従来のＤＶＤ系ディスクの場合と同様に、光ディスク表面から内側０.６ｍｍの位置にあり、レーザ波長はＢＤ用と同じ４０５ｎｍである。従って、対物レンズとして、ワーキングディスタンスＷＤも１ｍｍ近い値を採ることができる。しかしながら、ＨＤ−ＤＶＤ系ディスク用としてワーキングディスタンスＷＤを１ｍｍ近い値とした状態で、ＨＤ−ＤＶＤ系ディスクとは異なる方式のＢＤ系ディスクを光ディスクドライブ制御装置に装着して、該ＢＤ系ディスクに記録再生を行なう場合、光ディスク表面より内側０.１ｍｍの記録再生層に焦点を合わせるべく、対物レンズを光ディスク側から遠ざけようとすると、通常、アクチュエータ部の下側（光ディスクから遠ざかる側）の可動領域が不足してしまい、ワーキングディスタンスＷＤを拡げることができない状態が生じてしまう。
【００１１】
また、ＨＤ−ＤＶＤ系ディスク用とＢＤ系ディスク用とでは、開口ＮＡが、０.６と０.８５というように、それぞれで異なるため、光ディスクと対物レンズとの間隔を変更しただけでは、所望の記録再生層の位置に焦点を結ばせることができない。そのため、ＨＤ−ＤＶＤ系ディスク用とＢＤ系ディスク用とで開口ＮＡを変更する手段が新たに必要となる。即ち、例えば、ＨＤ−ＤＶＤ系ディスクの記録再生を行なうＨＤ−ＤＶＤ用ドライブの状態にある場合に、ＢＤ系ディスクを装着した場合、前述のように、開口ＮＡが異なるため、ＨＤ−ＤＶＤディスク用の対物レンズの開口ＮＡのままでは、ＢＤ系ディスクの記録再生層に正しく焦点を結ばせることができないという問題がある。
【００１２】
更に、光ビームスポットの収差の観点からみると、球面収差は、｛（ＮＡの３乗）／λ｝に比例して大きくなる一方、コマ収差は、｛（ＮＡの４乗）／λ｝に比例して大きくなる。ここに、λはレーザ波長である。従って、開口ＮＡが大きくなり、また、波長λは短くなるほど、収差補正を確実に施して、光ディスクの記録再生層だけに微小な光スポットを正しく形成するようにする必要がある。また、ＢＤ系ディスクもＨＤ−ＤＶＤ系ディスクも、４０５ｎｍという同一波長のレーザ光を使用するため、単純に、波長選択フィルタやダイクロイックビームスプリッタを使うだけでは、ＢＤ系ディスクとＨＤ−ＤＶＤ系ディスクとの違いによって、使用する光学系を切り分けることは難しい。
【００１３】
以上のごとき課題を有しているため、ＢＤ系、ＨＤ−ＤＶＤ系、従来のＤＶＤ系、ＣＤ系の各光ディスクを１つのピックアップで構成することは非常に難しいが、光ディスクドライブ制御装置即ち光ディスクピックアップ制御装置の低コスト化、小型薄型化、高信頼化や使い勝手などの観点からみると、１つのピックアップと１つ又は２つの対物レンズによって構成することは非常に重要なものである。
【００１４】
なお、特許文献１に示す特開２００４−１５８１１８号公報「光ヘッド装置及び光学式情報記録再生装置」には、複数の対物レンズを用いて、従来のＤＶＤ規格、ＣＤ規格の光ディスク、及び、青紫色レーザ光を用いる次世代の光ディスク（前述のＢＤ系ディスク）の記録や再生を行なうことができる光ピックアップについて記載されている。即ち、波長４０５ｎｍの照射光を射出する第１光学系と波長６５０ｎｍ又は７８０ｎｍの照射光を射出する第２光学系とを備え、波長４０５ｎｍの照射光は、第１対物レンズにより、保護層の厚さ０.１ｍｍの次世代規格の光ディスク上に集光され、波長６５０ｎｍ又は７８０ｎｍの照射光は、第２対物レンズにより、保護層の厚さ０.６ｍｍのＤＶＤ規格又は１.２ｍｍのＣＤ規格の光ディスクに集光されるように構成している。
【００１５】
また、特許文献２に示す特開２００３−２９６９５９号公報「波長選択性開口制限素子と波長選択性ビームスプリッタ及びそれを備えた光ピックアップ装置」では、ＣＤ系、ＤＶＤ系、ＢＤ系の光ディスクのごとく、情報記録密度及び保護層の厚みが異なる３種類の光ディスクを１つの対物レンズを用いてそれぞれに異なる波長のレーザ光により記録・再生を行なう技術が開示されている。即ち、４０５ｎｍ、６５０ｎｍ、７８０ｎｍの３種類の波長により対物レンズの開口ＮＡを変更する波長選択性開口制限フィルタとして、第１のフィルタと第２のフィルタとを該対物レンズの近傍に配置し、第１のフィルタが、波長４０５ｎｍのレーザ光のみを透過する開口ＮＡが０.８５となる環状の波長選択フィルタと、３種類のレーザ光全てを透過する透過波面位相整合膜とを有し、第２のフィルタが、波長４０５ｎｍ、６５０ｎｍのレーザ光を透過する開口ＮＡが０.６となる環状の波長選択フィルタと、３種類のレーザ光全てを透過する透過波面位相整合膜とを有することにより、波長により開口ＮＡを制御した１つの対物レンズのみで、ＣＤ系、ＤＶＤ系、ＢＤ系の光ディスクの記録再生を行なう光ディスクピックアップ制御装置を構成している。
【特許文献１】特開２００４−１５８１１８号公報
【特許文献２】特開２００３−２９６９５９号公報
【発明の開示】
【発明が解決しようとする課題】
【００１６】
しかしながら、前記特許文献１や特許文献２では、光ピックアップの光学系の構成や開口ＮＡの制御方法に関する技術のみにとどまっており、かつ、互いに異なる波長のレーザ光を用いて記録再生を行なう場合のみに限られている。言い換えると、複数の光ディスクの記録再生を行なう光ディスクピックアップ制御装置においては必須となる、光ディスクと対物レンズとの間隔を制御する駆動方法については一切記載されていなく、１台の光ディスクピックアップ制御装置における１つの光ピックアップのみにより、同一の波長も含む複数波長のレーザ光を用いて、ＢＤ系ディスク、ＨＤ−ＤＶＤ系ディスク、ＤＶＤ系ディスク、ＣＤ系ディスクという複数種類の光ディスクについて情報の読み書きを可能とするために、実施することが必要となる装着された光ディスクの種類の判別、ピックアップ光学系の選択や具体的な駆動方法、あるいは、対物レンズの移動可能範囲の設定などについて全く触れられていない。
【００１７】
本発明は、かかる事情に鑑みてなされたものであり、装着された光ディスクの種類の判別方法、ピックアップ光学系の選択・切替制御方法、あるいは、対物レンズの移動可能範囲の設定方法に工夫を施し、１台の光ディスクピックアップ制御装置における１つの光ピックアップのみによって、１つ又は２つの対物レンズを使用した光学系を構成し、ＢＤ系ディスク、ＨＤ−ＤＶＤ系ディスク、ＤＶＤ系ディスク、ＣＤ系ディスクの複数種類の光ディスクに対する情報の記録や再生を可能にせんとするものである。
【課題を解決するための手段】
【００１８】
第１の技術手段は、ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して情報の記録あるいは再生を行なうことができる光ディスクピックアップ制御装置において、１つの光ピックアップ内に、波長が４０５ｎｍ、６５０ｎｍ、７８０ｎｍの各レーザ光をそれぞれ射出する光源と、装着される光ディスクの種類に対応して透過するレーザ光の光束を絞り込むフィルタ部と、ＢＤ系ディスクに対応する第１対物レンズとそれ以外のＨＤ−ＤＶＤ系ディスク、ＤＶＤ系ディスク及びＣＤ系ディスクに対応する第２対物レンズとの２つの対物レンズと、該第１対物レンズと該第２対物レンズとの切替制御を行なうと共に、光ディスクとの間の間隔を変更するように該第１対物レンズ又は該第２対物レンズを移動させる制御を行なうアクチュエータ部とを備え、光ピックアップから出力されるフォーカスサーボ誤差信号とトラッククロス信号とに基づいて、装着されている光ディスクの種類を判別して、判別された光ディスクの記録再生用の光学系を構成するように、前記光源、前記フィルタ部、及び、前記アクチュエータ部により前記第１又は第２対物レンズの状態を、それぞれ設定して、情報の記録あるいは再生を行なうことを特徴とする。
【００１９】
第２の技術手段は、前記第１の技術手段に記載の光ディスクピックアップ制御装置において、当該光ディスクピックアップ制御装置の標準状態を示すデフォルト状態として、レーザ波長として４０５ｎｍの光源を使用し、前記フィルタ部において光束を太くして開口ＮＡを０.８５とする前記第１対物レンズからのレーザ光を光ディスク表面から内側０.１ｍｍの記録再生層に微小な光スポットとして結ばせるＢＤ系ディスク記録再生用の光学系に設定しておき、光ディスクが当該光ディスクピックアップ制御装置に装着された際に、光ピックアップから出力されるフォーカスサーボ誤差信号をチェックし、Ｓカーブのフォーカスサーボ誤差信号が観測された場合には、装着された光ディスクはＢＤ系ディスクと判別して、光ピックアップの光学系を、前記デフォルト状態のままとしたＢＤ系ディスク記録再生用の光学系を使用して、情報の記録あるいは再生動作を行ない、一方、Ｓカーブのフォーカス誤差信号が観測されなかった場合は、装着された光ディスクはＨＤ−ＤＶＤ系ディスク、ＤＶＤ系ディスク又はＣＤ系ディスクのいずれかと判別することを特徴とする。
【００２０】
第３の技術手段は、前記第２の技術手段に記載の光ディスクピックアップ制御装置において、前記ＢＤ系ディスク記録再生用の光学系においてＳカーブのフォーカス誤差信号が観測されなかった場合は、レーザ波長として４０５ｎｍの光源を使用したままとして、前記アクチュエータ部により前記第２対物レンズを使用した光学系に変更して、該第２対物レンズを光ディスク表面より外側に０.６ｍｍ近傍の位置まで移動すると共に、前記フィルタ部により前記第２対物レンズの開口ＮＡが０.６になるまでアパーチャを絞った状態にして、光ディスクを予め定めた一定の速度で低速回転させて、光ピックアップから出力されるフォーカスサーボ誤差信号とトラッククロス信号とをチェックし、Ｓカーブのフォーカスサーボ誤差信号が観測され、かつ、トラッククロス信号の周期が予め定めた閾値よりも短いことが観測された場合は、装着された光ディスクはＨＤ−ＤＶＤ系ディスクと判別して、開口ＮＡが０.６の前記第２対物レンズからのレーザ光を光ディスク表面から内側０.６ｍｍの記録再生層に微小な光スポットとして結ばせるＨＤ−ＤＶＤ系ディスク記録再生用の光学系を用いて、フォーカスサーボ誤差信号及びトラッククロス信号による制御をオンにして、情報の記録あるいは再生動作を行ない、一方、トラッククロス信号の周期が前記閾値よりも短いことが観測されなかった場合又はＳカーブのフォーカス誤差信号が観測されなかった場合は、装着された光ディスクはＤＶＤ系ディスク又はＣＤ系ディスクと判別することを特徴とする。
【００２１】
第４の技術手段は、前記第３の技術手段に記載の光ディスクピックアップ制御装置において、前記ＨＤ−ＤＶＤ系ディスク記録再生用の光学系においてトラッククロス信号の周期が予め定めた前記閾値よりも短いことが観測されなかった場合又はＳカーブのフォーカス誤差信号が観測されなかった場合であって、トラッククロス信号の周期が前記閾値以上に長いことが観測された場合には、装着された光ディスクはＤＶＤ系ディスクと判別して、レーザ波長として４０５ｎｍから６５０ｎｍの光源に切り替え、開口ＮＡが０.６の前記第２対物レンズからのレーザ光を光ディスク表面から内側０.６ｍｍの記録再生層に光スポットとして結ばせるＤＶＤ系ディスク記録再生用の光学系を用いて、フォーカスサーボ誤差信号及びトラッククロス信号による制御をオンにして、情報の記録あるいは再生動作を行ない、また、Ｓカーブのフォーカスサーボ誤差信号が観測されなかった場合には、装着された光ディスクはＣＤ系ディスクと判別して、レーザ波長として４０５ｎｍから７８０ｎｍの光源に切り替えると共に、開口ＮＡを０.４５にまで絞った前記第２対物レンズからのレーザ光を光ディスク表面から内側１.２ｍｍの記録再生層に光スポットとして結ばせるＣＤ系ディスク記録再生用の光学系を用いて、フォーカスサーボ誤差信号及びトラッククロス信号による制御をオンにして、情報の記録あるいは再生動作を行なうことを特徴とする。
【００２２】
第５の技術手段は、前記第１乃至第４の技術手段のいずれかに記載の光ディスクピックアップ制御装置において、前記フィルタ部として、波長４０５ｎｍの前記光源と前記第１対物レンズ又は前記第２対物レンズとの間に配置し、透過するレーザ光の光束を絞り込み、該第１対物レンズ又は該第２対物レンズの開口ＮＡを所望の値に切り替えることができる絞り機構と、波長４０５ｎｍ、６５０ｎｍ、７８０ｎｍの各前記光源と前記第１対物レンズ又は前記第２対物レンズとの間に配置し、波長により透過するレーザ光を選択する波長選択フィルタとを備え、かつ、光ディスクに照射するレーザ光の収差を補正する収差補正機構を備えていることを特徴とする。
【００２３】
第６の技術手段は、前記第５の技術手段に記載の光ディスクピックアップ制御装置において、前記絞り機構が、前記第１対物レンズ又は前記第２対物レンズの開口ＮＡを、０.６、０.８５のいずれかに切り替えて設定でき、前記波長選択フィルタが、前記第１対物レンズ又は前記第２対物レンズの開口ＮＡを、０.４５、０.６、又は、０.８５のいずれかに切り替えて設定できることを特徴とする。
【００２４】
第７の技術手段は、ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して情報の記録あるいは再生を行なうことができる光ディスクピックアップ制御装置において、１つの光ピックアップ内に、波長が４０５ｎｍ、６５０ｎｍ、７８０ｎｍの各レーザ光をそれぞれ射出する光源と、装着される光ディスクの種類に対応して透過するレーザ光の光束を絞り込むフィルタ部と、ＢＤ系ディスク、ＨＤ−ＤＶＤ系ディスク、ＤＶＤ系ディスク及びＣＤ系ディスクの全ての光ディスクに対応する１つの対物レンズと、光ディスクとの間の間隔を変更するように該対物レンズを移動させる制御を行なうアクチュエータ部とを備え、前記アクチュエータ部が、前記対物レンズからのレーザ光を光ディスクの記録再生層に光スポットとして結ばせるために、光ディスクとの間を最も短い間隔に前記対物レンズの位置を設定する必要があるＨＤ−ＤＶＤ系ディスクを基準にして、前記対物レンズを移動可能とする可動範囲を制限されていることを特徴とする。
【００２５】
第８の技術手段は、前記第７の技術手段に記載の光ディスクピックアップ制御装置において、前記対物レンズとして、開口ＮＡを０.６とした該対物レンズから入射される波長４０５ｎｍのレーザ光を光ディスク表面から内側０.６ｍｍの位置で微小な光スポットを結ばせる際に、該対物レンズのトップ位置が光ディスク表面から外側に０.７乃至１.３ｍｍの範囲内とすることができる対物レンズを用い、装着された光ディスクがＨＤ−ＤＶＤ系ディスクであった場合は、前記アクチュエータ部が、該ＨＤ−ＤＶＤ系ディスク表面からの前記対物レンズのトップ位置を０.７乃至１.３ｍｍの範囲を移動可能とし、装着された光ディスクがＢＤ系ディスクであった場合は、前記アクチュエータ部が、該ＢＤ系ディスク表面からの前記対物レンズのトップ位置を０.７乃至２.２ｍｍの範囲を移動可能とし、かつ、開口ＮＡを０.８５に拡げた４０５ｎｍのレーザ光を用い、また、装着された光ディスクがＤＶＤ系ディスクであった場合は、前記アクチュエータ部が、該ＤＶＤ系ディスク表面からの前記対物レンズのトップ位置を０.７乃至２.２ｍｍの範囲を移動可能とし、かつ、開口ＮＡを０.６にした６５０ｎｍのレーザ光を用い、また、装着された光ディスクがＣＤ系ディスクであった場合は、前記アクチュエータ部が、該ＣＤ系ディスク表面からの前記対物レンズのトップ位置を０.７乃至２.４ｍｍの範囲を移動可能とし、かつ、開口ＮＡを０.４５に絞った７８０ｎｍのレーザ光を用いることを特徴とする。
【００２６】
第９の技術手段は、ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して、ＢＤ系ディスク用として波長が４０５ｎｍのレーザ光を集光する第１対物レンズと、それ以外のＨＤ−ＤＶＤ系ディスク、ＤＶＤ系ディスク及びＣＤ系ディスクとして波長がそれぞれ４０５ｎｍ、６５０ｎｍ及び７８０ｎｍのレーザ光を集光する第２対物レンズとの２つの対物レンズを用いて情報の記録あるいは再生を行なうことができる光ディスクピックアップ制御方法において、光ディスクからの反射光によって生成されるフォーカスサーボ誤差信号とトラッククロス信号とに基づいて、装着されている光ディスクの種類を判別して、判別された光ディスク記録再生用の光学系を構成するように、光学系部品の状態をそれぞれ設定して、情報の記録あるいは再生を行なうことを特徴とする。
【００２７】
第１０の技術手段は、前記第９の技術手段に記載の光ディスクピックアップ制御方法において、当該光ディスクピックアップ制御方法における標準状態を示すデフォルト状態として、開口ＮＡを０.８５とする前記第１対物レンズからの波長４０５ｎｍのレーザ光を光ディスク表面から内側０.１ｍｍの記録再生層に微小な光スポットとして結ばせるＢＤ系ディスク記録再生用の光学系に設定しておき、光ディスクが装着された際に出力されるフォーカスサーボ誤差信号をチェックし、Ｓカーブのフォーカスサーボ誤差信号が観測された場合には、装着された光ディスクはＢＤ系ディスクと判別して、光ピックアップの光学系を、前記デフォルト状態のままとしたＢＤ系ディスク記録再生用の光学系を使用して、情報の記録あるいは再生動作を行ない、一方、Ｓカーブのフォーカス誤差信号が観測されなかった場合は、装着された光ディスクはＨＤ−ＤＶＤ系ディスク、ＤＶＤ系ディスク又はＣＤ系ディスクのいずれかと判別することを特徴とする。
【００２８】
第１１の技術手段は、前記第１０の技術手段に記載の光ディスクピックアップ制御方法において、前記ＢＤ系ディスク記録再生用の光学系においてＳカーブのフォーカス誤差信号が観測されなかった場合は、レーザ波長として４０５ｎｍのままとして、前記第２対物レンズを使用した光学系に変更して、該第２対物レンズを光ディスク表面より外側に０.６ｍｍ近傍の位置まで移動すると共に、該第２対物レンズの開口ＮＡが０.６になるまでアパーチャを絞った状態にして、光ディスクを予め定めた一定の速度で低速回転させて、出力されるフォーカスサーボ誤差信号とトラッククロス信号とをチェックし、Ｓカーブのフォーカスサーボ誤差信号が観測され、かつ、トラッククロス信号の周期が予め定めた閾値よりも短いことが観測された場合は、装着された光ディスクはＨＤ−ＤＶＤ系ディスクと判別して、開口ＮＡが０.６の前記第２対物レンズからのレーザ光を光ディスク表面から内側０.６ｍｍの記録再生層に微小な光スポットとして結ばせるＨＤ−ＤＶＤ系ディスク記録再生用の光学系を用いて、フォーカスサーボ誤差信号及びトラッククロス信号による制御をオンにして、情報の記録あるいは再生動作を行ない、一方、トラッククロス信号の周期が前記閾値よりも短いことが観測されなかった場合又はＳカーブのフォーカス誤差信号が観測されなかった場合は、装着された光ディスクはＤＶＤ系ディスク又はＣＤ系ディスクと判別することを特徴とする。
【００２９】
第１２の技術手段は、前記第１１の技術手段に記載の光ディスクピックアップ制御方法において、前記ＨＤ−ＤＶＤ系ディスク記録再生用の光学系においてトラッククロス信号の周期が予め定めた前記閾値よりも短いことが観測されなかった場合又はＳカーブのフォーカス誤差信号が観測されなかった場合であって、トラッククロス信号の周期が前記閾値以上に長いことが観測された場合には、装着された光ディスクはＤＶＤ系ディスクと判別して、レーザ波長として４０５ｎｍから６５０ｎｍに切り替え、開口ＮＡが０.６の前記第２対物レンズからのレーザ光を光ディスク表面から内側０.６ｍｍの記録再生層に光スポットとして結ばせるＤＶＤ系ディスク記録再生用の光学系を用いて、フォーカスサーボ誤差信号及びトラッククロス信号による制御をオンにして、情報の記録あるいは再生動作を行ない、また、Ｓカーブのフォーカスサーボ誤差信号が観測されなかった場合には、装着された光ディスクはＣＤ系ディスクと判別して、レーザ波長として４０５ｎｍから７８０ｎｍに切り替えると共に、開口ＮＡを０.４５にまで絞った前記第２対物レンズからのレーザ光を光ディスク表面から内側１.２ｍｍの記録再生層に光スポットとして結ばせるＣＤ系ディスク記録再生用の光学系を用いて、フォーカスサーボ誤差信号及びトラッククロス信号による制御をオンにして、情報の記録あるいは再生動作を行なうことを特徴とする。
【００３０】
第１３の技術手段は、ブルーレイ規格ディスク（以下ＢＤ系ディスクと略す）、ＨＤ−ＤＶＤ規格ディスク（以下ＨＤ−ＤＶＤ系ディスクと略す）、及び、ＤＶＤ系、ＣＤ系ディスクの複数種類の光ディスクに対して、ＢＤ系ディスク、ＨＤ−ＤＶＤ系ディスク、ＤＶＤ系ディスク及びＣＤ系ディスクとして波長がそれぞれ４０５ｎｍ、４０５ｎｍ、６５０ｎｍ及び７８０ｎｍのレーザ光を集光する１つの対物レンズを用いて情報の記録あるいは再生を行なうことができる光ディスクピックアップ制御方法において、前記対物レンズからのレーザ光を光ディスクの記録再生層に光スポットとして結ばせるために、光ディスクとの間を最も短い間隔に前記対物レンズの位置を設定する必要があるＨＤ−ＤＶＤ系ディスクを基準にして、前記対物レンズを移動可能とする可動範囲を制限することを特徴とする。
【００３１】
第１４の技術手段は、前記第１３の技術手段に記載の光ディスクピックアップ制御方法において、前記対物レンズとして、開口ＮＡを０.６とした該対物レンズから入射される波長４０５ｎｍのレーザ光を光ディスク表面から内側０.６ｍｍの位置で微小な光スポットを結ばせる際に、該対物レンズのトップ位置が光ディスク表面から外側に０.７乃至１.３ｍｍの範囲内にある対物レンズを用い、装着された光ディスクがＨＤ−ＤＶＤ系ディスクであった場合は、該ＨＤ−ＤＶＤ系ディスク表面からの前記対物レンズのトップ位置を０.７乃至１.３ｍｍの範囲を移動可能とし、装着された光ディスクがＢＤ系ディスクであった場合は、該ＢＤ系ディスク表面からの前記対物レンズのトップ位置を０.７乃至２.２ｍｍの範囲を移動可能とし、かつ、開口ＮＡを０.８５に拡げた４０５ｎｍのレーザ光を用い、また、装着された光ディスクがＤＶＤ系ディスクであった場合は、該ＤＶＤ系ディスク表面からの前記対物レンズのトップ位置を０.７乃至２.２ｍｍの範囲を移動可能とし、かつ、開口ＮＡを０.６にした６５０ｎｍのレーザ光を用い、また、装着された光ディスクがＣＤ系ディスクであった場合は、該ＣＤ系ディスク表面からの前記対物レンズのトップ位置を０.７乃至２.４ｍｍの範囲を移動可能とし、かつ、開口ＮＡを０.４５に絞った７８０ｎｍのレーザ光を用いることを特徴とする。
【発明の効果】
【００３２】
以上のごとき各技術手段のいずれかから構成される本発明によれば、１台の光ディスクピックアップ制御装置における１つのピックアップのみで、２つの対物レンズを記録再生の対象とする光ディスクの種類に応じて切替可能に使用したフレキシブルな光学系を構成して、又は、１つの対物レンズのみを使用した光学系を構成して、ＢＤ系ディスク、ＨＤ−ＤＶＤ系ディスク、ＤＶＤ系ディスク、ＣＤ系ディスクの各光ディスクについて記録あるいは再生を行なうことが可能となり、多目的用途の光ディスクピックアップ制御装置を構成することができる。これにより、光ディスクピックアップ制御装置が、小型薄型化・高信頼化が可能となり、かつ、シンプルで使い勝手を良いものとすることができると共に、更に安価な装置として提供することができる。
【発明を実施するための最良の形態】
【００３３】
以下に、本発明に係る光ディスクピックアップ制御装置の実施形態について、図面を参照しながら説明する。
従来の光ディスクピックアップ制御装置は、図３に示したように、一般に、光ピックアップ水平駆動モータ３６とガイドレール３５とからなる光ピックアップ駆動機構、ピックアップ３１、光ディスク３３を回転制御するスピンドルモータ３２、及び、図示していない回路基板によって構成されている。ＣＤ系ディスク（Ｃｏｍｐａｃｔ  Ｄｉｓｋ：コンパクトディスク）やＤＶＤ系ディスク（Ｄｉｇｉｔａｌ  Ｖｅｒｓａｔｉｌｅ  Ｄｉｓｋ：多目的ディスク）などの従来の光ディスクの場合では、光ディスク３３と光ピックアップ３１内の対物レンズトップとの間の距離であるワーキングディスタンスＷＤ（Ｗｏｒｋｉｎｇ  Ｄｉｓｔａｎｃｅ）は、（１〜１.５）ｍｍ程度とされている場合が普通であり、面振れが多少大きい光ディスクを当該光ディスクピックアップ制御装置に装着しても、光ディスク３３と当該光ディスクピックアップ制御装置の光学系部品とが互いに接触して破損するようなことは生じなかった。しかしながら、近年、高密度記録のために、光スポットを微小にする必要があり、背景技術で前述したように、ワーキングディスタンスＷＤが、コンマ数ミリ（ｍｍ）から１ｍｍと極めて近接した距離しか許されない光ディスクピックアップ制御装置が増加してきている。
【００３４】
かかる状況に鑑みてなされた本発明に係る光ディスクピックアップ制御装置の実施例を図１に示す。ここに、図１は、本発明に係る光ディスクピックアップ制御装置の構成に関する実施形態の一例を示す構成図である。
図１中の光ディスクＡ  ３Ａは、該光ディスクＡ  ３Ａの表面から０.１ｍｍに記録再生層３Ａ１を有するＢＤ系ディスクを示し、また、光ディスクＢ  ３Ｂは、該光ディスクＢ  ３Ｂの表面から０.６ｍｍに記録再生層３Ｂ１を有するＨＤ−ＤＶＤ系ディスク又はＤＶＤ系ディスクを、あるいは、該光ディスクＢ  ３Ｂの表面から１.２ｍｍに記録再生層を有するＣＤ系ディスク（図示していない）のいずれかを示している。光ディスクＡ  ３Ａ、光ディスクＢ  ３Ｂ共に、ディスク厚は１.２ｍｍである。なお、図１は、光ディスクＡ  ３Ａ即ちＢＤ系ディスクの記録再生を行なう場合の光学系をベースにして図示している。
【００３５】
図１において、符号１Ａは、青紫色レーザ用ホログラムユニットで、ＢＤ系ディスク用及びＨＤ−ＤＶＤ系ディスク用の波長４０５ｎｍのレーザ光を射出する光源であり、内部には、３ビーム用ホログラム、位相差ホログラム、及び、サーボ信号、ＲＦ信号、ウォブル（ｗｏｂｂｌｅ）信号等を生成する受光素子ＯＰＩＣ（Ｏｐｔｉｃａｌ  ＩＣ）を備えている。符号１Ｂは、赤色レーザ用ホログラムユニットで、ＤＶＤ系ディスク用の波長６５０ｎｍのレーザ光を射出する光源であり、内部には、前述の４０５ｎｍホログラムレーザと略同様の構成物を備えている。符号１Ｃは、赤外７８０ｎｍレーザ用ホログラムユニットで、ＣＤ系ディスク用の波長７８０ｎｍのレーザ光を射出する光源であり、内部には、前述の４０５ｎｍホログラムレーザと略同様の構成物を備えている。
【００３６】
また、符号４Ａ，４Ｂ，４Ｃは、それぞれ、青紫色レーザ用ホログラムユニット１Ａ、赤色レーザ用ホログラムユニット１Ｂ、赤外７８０ｎｍレーザ用ホログラムユニット１Ｃの各レーザホログラムユニットの近傍に配置されたコリメートレンズであり、符号５Ａ，５Ｂは、それぞれ、青紫色レーザ光を透過し赤色レーザ光を反射するダイクロイックビームスプリッタ、青紫色レーザ光と赤色レーザとを透過し赤外７８０ｎｍレーザ光を反射するダイクロイックビームスプリッタであり、符号２Ａ，２Ｂは、それぞれ、ＢＤ系の光ディスクＡ  ３Ａ用の対物レンズＡ、ＨＤ−ＤＶＤ系又はＤＶＤ系あるいはＣＤ系の光ディスクＢ  ３Ｂ用の対物レンズＢである。
【００３７】
即ち、図１に示す構成図においては、対物レンズＡ  ２Ａと対物レンズＢ  ２Ｂとの２種類のうち、いずれか１つの対物レンズが、装着される光ディスクの種類により、適当とされる対物レンズとして選択される。即ち、対物レンズＡ  ２ＡはＢＤ用の対物レンズとして、また、対物レンズＢ  ２ＢはＨＤ−ＤＶＤ，ＤＶＤ，ＣＤ用のいずれかの対物レンズとして選択される。２種類の対物レンズＡ  ２Ａと対物レンズＢ  ２Ｂとは、図１の太枠矢印によって示すように、アクチュエータ部によって回転支持されるように構成されていて、選択された対物レンズがレーザ光源からのレーザ光の光軸上に支持されるようになっている。
【００３８】
また、アクチュエータ部９は、ＢＤ用の対物レンズＡ  ２Ａと光ディスクとの間の間隔、及び、ＨＤ−ＤＶＤ，ＤＶＤ，ＣＤ用のいずれかの対物レンズＢ  ２Ｂと光ディスクとの間の間隔を、それぞれ変更するように移動制御するものであり、それぞれ、光ディスクの種類に応じて、ＢＤ系ディスクの場合は、開口ＮＡ０.８５の対物レンズＡ  ２Ａから入射された光ビームがＢＤ系ディスクの表面から内側０.１ｍｍに位置する記録再生層に光スポットを形成するように、また、ＨＤ−ＤＶＤ系又はＤＶＤ系ディスクの場合は、開口ＮＡ０.６の対物レンズＢ  ２Ｂから入射された光ビームが光ディスクの表面から内側０.６ｍｍに位置する記録再生層に光スポットを形成するように、また、ＣＤ系ディスクの場合は、開口ＮＡ０.４５の対物レンズＢ  ２Ｂから入射された光ビームがＣＤ系ディスクの表面から内側１.２ｍｍに位置する記録再生層に光スポットを形成するように、それぞれの対物レンズの位置を移動制御するように構成されている。
【００３９】
次に、光ディスクピックアップ制御装置に装着された光ディスクが、光ディスクＢ  ３Ｂであり、ＣＤ系ディスクであった場合について、光ディスクピックアップ制御装置の光学系の動作について説明する。ここで、ＣＤ系ディスクが装着された場合は、光ディスクＢ  ３Ｂ用の対物レンズＢ  ２Ｂが、太枠矢印に示すように回転されて、光軸上に支持された状態になっていて、アクチュエータ部９により、開口ＮＡ０.４５の対物レンズＢ  ２Ｂから入射された波長７８０ｎｍの光ビームがＣＤ系ディスクの表面から内側１.２ｍｍの記録再生層に光スポットを形成するように駆動制御されている。
【００４０】
赤外７８０ｎｍレーザ用ホログラムユニット１Ｃから射出されたＣＤ系ディスク用のレーザ光は、コリメートレンズ４Ｃを介してダイクロイックビームスプリッタ５Ｂで反射されて、方向変換ミラー（図示していない）及び波長選択フィルタ８を経由して、光軸上に回転支持されている対物レンズＢ  ２Ｂで集光され、ＣＤ系ディスクの表面から内側１.２ｍｍに配置されている記録再生層の位置に光スポットを形成する。
【００４１】
ＣＤ系ディスクの反射層にて反射された反射光は、前述と逆の光路を通り、ダイクロイックビームスプリッタ５Ｂで反射されて、コリメートレンズ４Ｃを介して赤外７８０ｎｍレーザ用ホログラムユニット１Ｃに入射され、赤外７８０ｎｍレーザ用ホログラムユニット１Ｃのホログラム素子で回折されて、受光素子部に入射され、複数の受光素子ＯＰＩＣによって、サーボ信号、ＲＦ信号等の記録再生に必要とする信号が生成される。
【００４２】
次に、光ディスクピックアップ制御装置に装着された光ディスクが、光ディスクＢ  ３Ｂであり、ＤＶＤ系ディスクであった場合について、光ディスクピックアップ制御装置の光学系の動作について説明する。ＤＶＤ系ディスクについては、ＣＤ系ディスクの場合と同様に、光ディスクＢ  ３Ｂ用の対物レンズＢ  ２Ｂが、太枠矢印に示すように回転されて、光軸上に支持された状態になっていて、アクチュエータ部９により、開口ＮＡ０.６の対物レンズＢ  ２Ｂから入射された波長６５０ｎｍの光ビームがＤＶＤ系ディスクの表面から内側０.６ｍｍの記録再生層に光スポットを形成するように駆動制御されている。
【００４３】
赤色レーザ用ホログラムユニット１Ｂから射出されたＤＶＤ系ディスク用のレーザ光は、コリメートレンズ４Ｂを介してダイクロイックビームスプリッタ５Ａで反射されて、光ビームスポットの収差を補正する収差補正機構７、ダイクロイックビームスプリッタ５Ｂ、方向変換ミラー（図示していない）及び波長選択フィルタ８を経由して、光軸上に回転支持されている対物レンズＢ  ２Ｂで集光され、ＤＶＤ系ディスクの表面から内側０.６ｍｍの位置に配置されている記録再生層の位置に光スポットを形成する。
【００４４】
ＤＶＤ系ディスクの反射層にて反射された反射光は、前述と逆の光路を通り、ダイクロイックビームスプリッタ５Ａで反射されて、コリメートレンズ４Ｂを介して赤色レーザ用ホログラムユニット１Ｂに入射され、赤色レーザホログラムユニット１Ｂのホログラム素子で回折されて、受光素子部に入射され、複数の受光素子ＯＰＩＣによって、サーボ信号、ウォブル信号、ＲＦ信号等の記録再生に必要とする信号が生成される。
【００４５】
なお、図１に示す２つのダイクロイックビームスプリッタ５Ａ，５Ｂのうち、ダイクロイックビームスプリッタ５Ａは、６５０ｎｍより短い波長のレーザ光を透過し、６５０ｎｍ以上に長い波長のレーザ光を反射する性質を有し、一方、ダイクロイックビームスプリッタ５Ｂは、７８０ｎｍより短い波長のレーザ光を透過し、７８０ｎｍ以上に長い波長のレーザ光を反射する性質を有している。
【００４６】
次に、光ディスクピックアップ制御装置に装着された光ディスクが、光ディスクＡ  ３Ａであり、ＢＤ系ディスクであった場合について、光ディスクピックアップ制御装置の光学系の動作について説明する。ＢＤ系ディスクについては、ＣＤ系ディスクの場合とは異なり、光ディスクＡ  ３Ａ用の対物レンズＡ  ２Ａが、図１に示すような光軸上に支持された状態になっていて、アクチュエータ部９により、開口ＮＡ０.８５の対物レンズＡ  ２Ａから入射された波長４０５ｎｍの光ビームがＢＤ系ディスクの表面から内側０.１ｍｍの記録再生層に光スポットを形成するように駆動制御されている。また、コリメートレンズ４Ａとダイクロイックビームスプリッタ５Ａとの間に配設されている青紫色レーザ用アパーチャ６は、装着された光ディスクがＢＤ系ディスクかＨＤ−ＤＶＤ系ディスクかに応じて透過するレーザ光の光束を絞り込む絞り機構であり、ＢＤ系ディスクの場合、開口絞りが対物レンズＡ  ２Ａの開口ＮＡが０.８５になるように開かれた状態にされている。
【００４７】
青紫色レーザ用ホログラムユニット１Ａから射出されたＢＤ系ディスク用又はＨＤ−ＤＶＤ系ディスク用のレーザ光は、コリメートレンズ４Ａを介して、開口絞りが開かれた状態にある青紫色レーザ用アパーチャ６を太いビーム径を保った状態のまま通過して、ダイクロイックビームスプリッタ５Ａ、収差補正機構７、ダイクロイックビームスプリッタ５Ｂ、方向変換ミラー（図示していない）及び波長選択フィルタ８を経由して、光軸上に支持されている対物レンズＡ  ２Ａで集光され、ＢＤ系ディスクの表面から内側０.１ｍｍの位置に配置されている記録再生層の位置に微小な光スポットを形成する。
【００４８】
ＢＤ系ディスクの反射層にて反射された反射光は、前述と逆の光路を通り、ダイクロイックビームスプリッタ５Ａを透過して、コリメートレンズ４Ａを介して青紫色レーザ用ホログラムレーザユニット１Ａに入射され、青紫色レーザ用ホログラムレーザユニット１Ａのホログラム素子で回折されて、受光素子部に入射され、複数の受光素子ＯＰＩＣによって、サーボ信号、ウォブル信号、ＲＦ信号等の記録再生に必要とする信号が生成される。
【００４９】
次に、光ディスクピックアップ制御装置に装着された光ディスクが、光ディスクＢ  ３Ｂであり、ＨＤ−ＤＶＤ系ディスクであった場合について、光ディスクピックアップ制御装置の光学系の動作について説明する。ＨＤ−ＤＶＤ系ディスクについては、ＣＤ系ディスクの場合と同様に、光ディスクＢ  ３Ｂ用の対物レンズＢ  ２Ｂが、太枠矢印に示すように回転されて、光軸上に支持された状態になっていて、アクチュエータ部９により、開口ＮＡ０.６の対物レンズＡ  ２Ａから入射された波長４０５ｎｍの光ビームがＨＤ−ＤＶＤ系ディスクの表面から内側０.６ｍｍの記録再生層に光スポットを形成するように駆動制御されている。また、コリメートレンズ４Ａとダイクロイックビームスプリッタ５Ａとの間に配設されている青紫色レーザ用アパーチャ６は、ＢＤ系ディスクの場合とは逆に、開口絞りが対物レンズＢ  ２Ｂの開口ＮＡが０.６になるように絞られた状態にされている。
【００５０】
青紫色レーザ用ホログラムユニット１Ａから射出されたＢＤ系ディスク用又はＨＤ−ＤＶＤ系ディスク用のレーザ光は、コリメートレンズ４Ａを介して、開口絞りが絞られた状態にある青紫色レーザ用アパーチャ６を細いビーム径に絞られた状態にされて通過して、ダイクロイックビームスプリッタ５Ａ、収差補正機構７、ダイクロイックビームスプリッタ５Ｂ、方向変換ミラー（図示していない）及び波長選択フィルタ８を経由して、光軸上に回転支持されている対物レンズＢ  ２Ｂで集光され、ＨＤ−ＤＶＤ系ディスクの表面から内側０.６ｍｍの位置に配置されている記録再生層の位置に微小な光スポットを形成する。
【００５１】
ＨＤ−ＤＶＤ系ディスクの反射層にて反射された反射光は、前述と逆の光路を通り、ダイクロイックビームスプリッタ５Ａを透過して、コリメートレンズ４Ａを介して青紫色レーザ用ホログラムレーザユニット１Ａに入射され、青紫色レーザ用ホログラムレーザユニット１Ａのホログラム素子で回折されて、受光素子部に入射され、複数の受光素子ＯＰＩＣによって、サーボ信号、ウォブル信号、ＲＦ信号等の記録再生に必要とする信号が生成される。
【００５２】
なお、波長選択フィルタ８は、入射されるレーザ光の波長によって透過する光束の大きさを選択して変更するフィルタであり、青紫色レーザ光、赤色レーザ光、赤外７８０ｎｍレーザ光の順番に、適切に透過光束が大きくなるように設計されている。図１に示す光ディスクピックアップ制御装置は、２つの対物レンズＡ  ２Ａ，対物レンズＢ  ２Ｂのいずれかをアクチュエータ部により光軸上に回転支持可能とする構成とすると共に、青紫色レーザ用アパーチャ６、収差補正機構７及び波長選択フィルタ８を適切に配置することにより、ＢＤ系ディスク、ＨＤ−ＤＶＤ系ディスク、ＤＶＤ系ディスク、ＣＤ系ディスクを、１台の光ディスクピックアップ制御装置によって記録あるいは再生することを可能とする多目的の記録装置あるいは再生装置を実現している例を示したものである。
【００５３】
また、図１に示す光ディスクピックアップ制御装置においては、装着された光ディスクの種類を判別するために、青紫色レーザ用ホログラムユニット１Ａ、赤色レーザ用ホログラムユニット１Ｂ及び赤外７８０ｎｍレーザ用ホログラムユニット１Ｃのそれぞれの受光素子ＯＰＩＣで生成されるサーボ信号（フォーカスサーボ誤差信号、トラッククロス信号）を用いている。
【００５４】
即ち、光ディスクピックアップ制御装置の標準状態を示すデフォルト状態としては、ＢＤ系ディスクの記録再生を行なうＢＤ用の光学系に設定して、青紫色レーザ用ホログラムユニット１Ａから射出される波長４０５ｎｍのレーザ光を用い、青紫色レーザ用アパーチャ６の絞りを開いて開口ＮＡが０.８５の対物レンズＡ  ２Ａにより、光ディスクの表面から内側０.１ｍｍ上に集光させるというＢＤ用ディスクの記録再生用の光学系に設定しておく。前記デフォルト状態において、青紫色レーザ用ホログラムレーザユニット１Ａの受光素子ＯＰＩＣで生成されたフォーカスサーボ誤差信号が、明確なＳカーブを描いていることが観測された場合には、装着された光ディスクは、ＢＤ系ディスクであるものと判別して、前記デフォルト状態のまま、レーザ波長４０５ｎｍを使用し、開口ＮＡ０.８５の対物レンズＡ  ２Ａを使用したＢＤ系ディスクの記録再生用の光学系を使用し、情報の記録あるいは再生動作を行なう。
【００５５】
一方、前記デフォルト状態において、青紫色レーザ用ホログラムレーザユニット１Ａの受光素子ＯＰＩＣで生成されたフォーカスサーボ誤差信号が、明確なＳカーブを描いていることが観測されなかった場合には、装着された光ディスクがＢＤ系ディスクではなかったものと判別する。
【００５６】
而して、次に、ＨＤ−ＤＶＤ系ディスクが装着されたか否かを判別するために、青紫色レーザ用ホログラムユニット１Ａからの波長４０５ｎｍのレーザ光をそのまま用いて、青紫色レーザ用アパーチャ６の絞りを絞って開口ＮＡを０.６とする共に、アクチュエータ部により対物レンズＢ  ２Ｂを使用した光学系に切り替え、かつ、アクチュエータ部９により対物レンズＢ  ２Ｂを移動制御して、光ディスク表面より外側に０.６ｍｍ近傍の位置にまで移動させた状態にして、光ディスクを予め定めた一定の速度で低速回転させて、青紫色レーザ用ホログラムユニット１Ａの受光素子ＯＰＩＣで生成されたフォーカスサーボ誤差信号とトラッククロス信号とをチェックする。
【００５７】
青紫色レーザ用ホログラムユニット１Ａの受光素子ＯＰＩＣで生成されたフォーカスサーボ誤差信号が明確なＳカーブを描いていて、かつ、トラッククロス信号の周期が予め定めた閾値よりも短いことが観測された場合には、装着された光ディスクは、ＨＤ−ＤＶＤ系ディスクであるものと判別して、前述のようなＨＤ−ＤＶＤ系ディスクの記録再生用の光学系に設定した状態で、フォーカスサーボ誤差信号及びトラッククロス信号即ちトラッキングサーボ信号による制御をオンにして、情報の記録あるいは再生動作を行なう。
【００５８】
一方、青紫色レーザ用ホログラムユニット１Ａの受光素子ＯＰＩＣで生成されたトラッククロス信号の周期が予め定めた閾値以上に長いことが観測された場合には、装着された光ディスクは、ＤＶＤ系ディスクであるものと判別して、光源をレーザ波長４０５ｎｍの青紫色レーザ用ホログラムユニット１ＡからＤＶＤ系ディスク用の波長６５０ｎｍの赤色レーザ用ホログラムユニット１Ｂに切り替えて、前述したようなＤＶＤ系ディスクの記録再生用の光学系に設定した状態で、フォーカスサーボ誤差信号及びトラッククロス信号による制御をオンにして、情報の記録あるいは再生動作を行なう。なお、波長６５０ｎｍのレーザ光を用いる場合は、波長選択フィルタ８により対物レンズＢ  ２Ｂの開口ＮＡは０.６とされている。
【００５９】
また、青紫色レーザ用ホログラムユニット１Ａの受光素子ＯＰＩＣで生成されたフォーカスサーボ誤差信号が明確なＳカーブを描いていることが観測されなかった場合には、装着された光ディスクは、ＣＤ系ディスクであるものと判別して、光源をレーザ波長４０５ｎｍの青紫色レーザ用ホログラムユニット１ＡからＣＤ系ディスク用の波長７８０ｎｍの赤外７８０ｎｍレーザ用ホログラムユニット１Ｃに切り替えて、前述したようなＣＤ系ディスクの記録再生用の光学系に設定した状態で、フォーカスサーボ誤差信号及びトラッククロス信号による制御をオンにして、情報の記録あるいは再生動作を行なう。なお、波長７８０ｎｍのレーザ光を用いる場合は、波長選択フィルタ８により対物レンズＢ  ２Ｂの開口ＮＡは０.４５とされている。
【００６０】
次に、本発明に係る光ディスクピックアップ制御装置の図１に示す実施例とは異なる実施例について図２を用いて説明する。ここに、図２は、本発明に係る光ディスクピックアップ制御装置の構成に関する実施形態として、図１とは異なる例を示す構成図である。図２に示す実施例においては、図１の場合と異なり、対物レンズを１つのみで構成して、対物レンズを移動制御するアクチュエータも１つの該対物レンズのみを対象としているものであるが、図１の場合と同様に、前述したＢＤ系ディスク、ＨＤ−ＤＶＤ系ディスク、ＤＶＤ系ディスク、ＣＤ系ディスクの全てについて対応可能としている。なお、図２に示す各光学系素子について、対物レンズＣ  ２Ｃと該対物レンズＣ  ２Ｃを移動制御するアクチュエータ部９′とを除いて、図１に示した光学系素子と略同一の機能を有しており、図１と同一の符号を付している。
【００６１】
図２におけるＢＤ系ディスク、ＨＤ−ＤＶＤ系ディスク、ＤＶＤ系ディスク、ＣＤ系ディスクの各光ディスクの記録あるいは再生の光学系の動作は、図１の場合と略同様であり、詳細な説明は省略するが、１つのみからなる対物レンズＣ  ２Ｃは、図１の場合とは異なり、常に、レーザ光源から射出されるレーザ光の光軸上に支持されるように構成されており、かつ、アクチュエータ部９′により対物レンズＣ  ２Ｃの位置を駆動制御する際に、光ディスクに極めて近接配置されている対物レンズＣ  ２Ｃが、光ディスクに当接して、対物レンズＣ  ２Ｃや光学系部品が破損することがないように、対物レンズＣ  ２Ｃの可動距離に制限を付すようにしている。
【００６２】
図２に示す光ディスクピックアップ制御装置においては、電源投入直後や光ディスクの装着時などの標準状態として、前述の４種類の光ディスクのうち、対物レンズＣ  ２Ｃを光ディスク表面に最も近接して配置する必要があるＨＤ−ＤＶＤ系ディスクの場合を適用するものとし、開口ＮＡを０.６とした対物レンズＣ  ２Ｃから入射された波長４０５ｎｍのレーザ光をＨＤ−ＤＶＤ系ディスクの表面から内側０.６ｍｍの記録再生層の位置に正しく微小な光スポットを形成させる際に、光ディスク表面と対物レンズＣ  ２Ｃトップとの間の間隔を示すワーキングディスタンスＷＤとして、１ｍｍ程度を確保可能とする対物レンズＣ  ２Ｃを用いることとしている。
【００６３】
装着された光ディスクが、光ディスクＢ  ３Ｂであり、ＨＤ−ＤＶＤ系ディスクであった場合、前述の図１で説明したように、青紫色レーザ用ホログラムユニット１Ａから射出されたＢＤ系ディスク用又はＨＤ−ＤＶＤ系ディスク用のレーザ光は、コリメートレンズ４Ａを介して、対物レンズＣ  ２Ｃの開口ＮＡが０.６になるようにアパーチャが絞られた状態にある青紫色レーザ用アパーチャ６を通過して、ダイクロイックビームスプリッタ５Ａ、収差補正機構７、ダイクロイックビームスプリッタ５Ｂ、方向変換ミラー（図示していない）及び波長選択フィルタ８を経由して、対物レンズＣ  ２Ｃで集光され、ＨＤ−ＤＶＤ系ディスクの表面から内側０.６ｍｍの位置に配置されている記録再生層の位置に微小な光スポットを形成する。対物レンズＣ  ２Ｃの位置は、アクチュエータ部９′により、開口ＮＡ０.６の対物レンズＣ  ２Ｃから射出された波長４０５ｎｍの光ビームがＨＤ−ＤＶＤ系ディスクの表面から０.６ｍｍの記録再生層に微小な光スポットを形成するように駆動制御されている。
【００６４】
この場合、アクチュエータ部９′により駆動制御された対物レンズＣ  ２Ｃの位置は、前述のごとく、ワーキングディスタンスＷＤが約１ｍｍの位置になるようにされている。即ち、ＨＤ−ＤＶＤ系ディスクの場合においては、アクチュエータ部９′は、光ディスクの面振れ分の±０.３ｍｍも考慮に入れて、ワーキングディスタンスＷＤが０.７乃至１.３ｍｍの範囲に収まるように、ＨＤ−ＤＶＤ系ディスク表面からの対物レンズＣ  ２Ｃのトップ位置が０.７乃至１.３ｍｍの範囲を位置調整用の可動距離として駆動制御できれば十分である。
【００６５】
かくのごとく、ＨＤ−ＤＶＤ系ディスク用に設定された標準状態において、ＨＤ−ＤＶＤ系ディスク用と同一の波長４０５ｎｍを光源としながら、開口ＮＡが０.８５のレーザ光を、光ディスク表面から内側僅か０.１ｍｍの記録再生層の位置に焦点を結ばせる必要があるＢＤ系ディスクを装着した場合、アクチュエータ部９′は、対物レンズＣ  ２Ｃの位置をＨＤ−ＤＶＤ用の標準状態よりも、少なくとも０.５ｍｍ光ディスクから後退させた位置に基準点を移すように駆動制御することが必要である。更に、光ディスクの面振れ分の±０.３ｍｍや誤差も考慮に入れて、アクチュエータ部９′は、移した該基準点を中心にして、±０.７ｍｍ程度の可動範囲を確保できるように駆動制御することが望まれる。
【００６６】
即ち、ＢＤ系ディスクの場合においては、アクチュエータ部９′は、光ディスク表面から内側０.１ｍｍの記録再生層の位置に焦点を確実に結ばせることができる、ワーキングディスタンスＷＤが０.８乃至２.２ｍｍの範囲をカバーできるように、ＨＤ−ＤＶＤ系ディスクからＢＤ系ディスクへの光学系の切り替えも考慮して、ＢＤ系ディスク表面からの対物レンズＣ  ２Ｃのトップ位置が０.７乃至２.２ｍｍの範囲を位置調整用の可動距離として駆動制御できれば十分である。
【００６７】
また、ＨＤ−ＤＶＤ系ディスク用に設定された標準状態において、波長６５０ｎｍを光源として、開口ＮＡが０.６のレーザ光を、光ディスク表面から内側０.６ｍｍの記録再生層の位置に焦点を結ばせる必要があるＤＶＤ系ディスクを装着した場合、ＢＤ系ディスクの場合と同様に、ワーキングディスタンスＷＤが０.８乃至２.２ｍｍの範囲をカバーできるように、ＤＶＤ系ディスク表面からの対物レンズＣ  ２Ｃのトップ位置が、ＢＤ系ディスクの場合と同様に、０.７乃至２.２ｍｍの範囲を位置調整用の可動距離として駆動制御できれば十分である。
【００６８】
また、ＨＤ−ＤＶＤ系ディスク用に設定された標準状態において、波長７８０ｎｍを光源として、開口ＮＡが０.４５のレーザ光を、光ディスク表面から内側１.２ｍｍの記録再生層の位置に焦点を結ばせる必要があるＣＤ系ディスクを装着した場合、ワーキングディスタンスＷＤが１.０乃至２.４ｍｍの範囲をカバーできるように、ＣＤ系ディスク表面からの対物レンズＣ  ２Ｃのトップ位置が、０.７乃至２.４ｍｍの範囲を位置調整用の可動距離として駆動制御できれば十分である。
【００６９】
即ち、図２に示す構成の場合、アクチュエータ部９′は、基準となるＨＤ−ＤＶＤ系ディスクの場合は、光ディスク表面からの対物レンズＣ  ２Ｃのトップ位置を０.７乃至１.３ｍｍの可動範囲で、また、ＢＤ系ディスク及びＤＶＤ系ディスクの場合は、光ディスク表面からの対物レンズＣ  ２Ｃのトップ位置を０.７乃至２.２ｍｍの可動範囲で、また、ＣＤ系ディスクの場合は、光ディスク表面からの対物レンズＣ  ２Ｃのトップ位置を０.７乃至２.４ｍｍの可動範囲でのみ駆動制御を可能とするように、制限を付して構成されている。
【００７０】
かくのごときアクチュエータ部９′の可動範囲の設定により、ＨＤ−ＤＶＤディスクのみならず、他の種類の光ディスクが装着された場合であっても、所望する光ディスクの記録再生層の位置で正しく光スポットを形成させることが可能となるのみならず、如何なる種類の光ディスクを装着しても、該光ディスクが当該光ディスクピックアップ制御装置の光学系部品に当接して、光学系に支障が発生したり、物理的に破壊したりすることを防止することができる。
【００７１】
なお、前述のアクチュエータ部９′による対物レンズＣ  ２Ｃの可動範囲の数値は一例を示したものであり、このような可動範囲のみに限るものではない。ここで重要な点は、対物レンズＣ  ２Ｃに最も近接して配置する必要があるＨＤ−ＤＶＤ系ディスクの場合より、ＤＶＤ系ディスクやＣＤ系ディスクの場合は勿論のこと、ＢＤ系ディスクの場合は、対物レンズＣ  ２Ｃのトップ位置が光ディスクの表面から遠ざかるように移動制御することであり、更には、ＢＤ系ディスクの場合は、ＤＶＤ系ディスクやＣＤ系ディスクの場合は勿論のこと、ＨＤ−ＤＶＤ系ディスクの場合よりも、対物レンズＣ  ２Ｃの開口ＮＡを大きくすること、かつ、大きな開口ＮＡと短い波長に対応して収差補正を適切に行なうことが重要である。
【図面の簡単な説明】
【００７２】
【図１】本発明に係る光ディスクピックアップ制御装置の構成に関する実施形態の一例を示す構成図である。
【図２】本発明に係る光ディスクピックアップ制御装置の構成に関する実施形態の異なる例を示す構成図である。
【図３】従来の光ディスクドライブ制御装置の概要を示す構成図である。
【符号の説明】
【００７３】
１Ａ…青紫色レーザ用ホログラムユニット、１Ｂ…赤色レーザ用ホログラムユニット、１Ｃ…赤外７８０ｎｍレーザ用ホログラムユニット、２Ａ…対物レンズＡ、２Ｂ…対物レンズＢ、２Ｃ…対物レンズＣ、３Ａ…光ディスクＡ、３Ｂ…光ディスクＢ、３Ａ１，３Ｂ１…記録再生層、４Ａ，４Ｂ，４Ｃ…コリメートレンズ、５Ａ，５Ｂ…ダイクロイックビームスプリッタ、６…青紫色レーザ用アパーチャ、７…収差補正機構、８…波長選択フィルタ、９，９′…アクチュエータ部、３１…光ピックアップ、３２…スピンドルモータ、３３…光ディスク、３４…アクチュエータ部、３５…ガイドレール、３６…光ピックアップ水平駆動モータ、３７…光ビーム。
【図１】
2006120210.tif 000003
【図２】
2006120210.tif 000004
【図３】
2006120210.tif 000005